(57)【要約】【課題】硬貨の搬送不良を防止すること。【解決手段】第一搬送区間Ｓ１では、硬貨収納ユニット１１から放出された硬貨が第一始点Ａ１から第一終点Ａ２へ向かう第一方向へ硬貨が搬送される。第二搬送区間Ｓ２では、第二始点Ｂ１から第二終点Ｂ２へ向かう第二方向へ硬貨が搬送される。第一搬送ベルト１２は、第一搬送区間Ｓ１を形成して上記の第一方向へ硬貨を搬送する。第二搬送ベルト１４は、第一搬送ベルト１２と対向して配置されることにより第二搬送区間Ｓ２を形成して上記の第二方向へ硬貨を搬送する。また、第一搬送ベルト１２は、上記の第一方向と交叉する方向を長手方向とする凸部１３を第一搬送ベルト１２の第一搬送面Ｃ１上に有する。そして、第一搬送ベルト１２の駆動に伴って硬貨が凸部１３の前面Ｆ１で押されることにより硬貨が上記の第一方向及び上記の第二方向へ搬送される。【選択図】図３
2018055443.tif 000002
【特許請求の範囲】
【請求項１】
硬貨を収納する硬貨収納ユニットと、
第一始点と第一終点とを有し、かつ、前記硬貨収納ユニットから放出された前記硬貨が受け止められて前記第一始点から前記第一終点へ向かう第一方向へ前記硬貨が搬送される第一搬送区間と、
前記第一終点に繋がる第二始点と、前記第二始点より高い位置に存在する第二終点とを有し、前記第二始点から前記第二終点へ向かう第二方向へ前記硬貨が搬送される第二搬送区間と、
前記第一搬送区間を形成して前記第一方向へ前記硬貨を搬送する第一搬送ベルトと、
前記第一搬送ベルトと対向して配置されることにより前記第二搬送区間を形成して前記第二方向へ前記硬貨を搬送する第二搬送ベルトと、を具備し、
前記第一搬送ベルトは、前記第一方向と交叉する方向を長手方向とする凸部を前記第一搬送ベルトの第一搬送面上に有し、
前記第一搬送ベルトの駆動に伴って前記硬貨が前記凸部の前面で押されることにより前記硬貨が前記第一方向及び前記第二方向へ搬送される、
硬貨取扱装置。
【請求項２】
前記第二搬送区間では、前記第一搬送ベルトと前記第二搬送ベルトとの間に前記凸部が挟まれることにより、前記凸部が前記第一搬送面の方に向かって傾斜し、かつ、前記凸部の前記前面の頂点が前記第二搬送ベルトの第二搬送面に当接する、
請求項１に記載の硬貨取扱装置。
【請求項３】
前記第一搬送ベルトと前記凸部とは、同一材料の弾性体である、
請求項１または２に記載の硬貨取扱装置。
【請求項４】
前記凸部が定位置から離れた後に前記定位置に復帰したことを検出するセンサ、
をさらに具備する請求項１から３の何れか一つに記載の硬貨取扱装置。
【請求項５】
請求項４に記載の硬貨取扱装置と、
画面を表示するタッチパネルと、
前記凸部が前記定位置に復帰したことが前記センサによって検出されたときに、取引開始を示す所定の初期画面を前記タッチパネルに表示させる制御部と、
を具備するトータリゼータ端末。
【請求項６】
公営競技の投票券の購入時に前記投票券を排出する投票券排出口と、
前記第二終点から放出される前記硬貨を排出する硬貨排出口と、をさらに具備し、
前記制御部は、前記購入時に、前記投票券の前記投票券排出口における排出タイミングと、釣り銭である前記硬貨の前記硬貨排出口における排出タイミングとを一致させる、
請求項５に記載のトータリゼータ端末。
【発明の詳細な説明】
【技術分野】
【０００１】
本発明は、硬貨取扱装置及びトータリゼータ端末に関する。
【背景技術】
【０００２】
競馬、競輪、競艇及びオートレースの公営競技では、公営競技の投票券（以下では単に「投票券」と呼ぶことがある）の購入者（以下では「投票券購入者」と呼ぶことがある）は、トータリゼータ端末を使って投票券を購入する。また、的中した投票券（以下では「的中券」と呼ぶことがある）を払い戻す者（以下では「的中券払戻者」と呼ぶことがある）は、トータリゼータ端末を使って的中券の払戻を行う。以下では、例えば投票券購入者や的中券払戻者等、公営競技の客のうち、トータリゼータ端末を使用する客を「端末使用者」と呼ぶことがある。
【０００３】
投票券の購入時や的中券の払戻時の金額には端数が生じることがあるため、トータリゼータ端末は、端末使用者に対して紙幣の他に硬貨を出金することがある。よって、トータリゼータ端末は、硬貨を出金可能な「硬貨取扱装置」を搭載している。
【先行技術文献】
【特許文献】
【０００４】
【特許文献１】特開２０１１−００３０４７号公報
【特許文献２】特開２００４−２０６２３６号公報
【発明の概要】
【発明が解決しようとする課題】
【０００５】
硬貨取扱装置では、硬貨の出金の際、硬貨を収納する硬貨収納ユニットから出金額に応じて放出される硬貨が、搬送ベルトを用いて出金口まで搬送される。しかし、硬貨収納ユニットから搬送ベルトの搬送面上に放出された硬貨が、搬送面上に垂直に、または、傾斜して立った状態（以下では「立ち状態」と呼ぶことがある）となることがある。硬貨は円形のため、硬貨が搬送面上で立ち状態になると、搬送ベルトが駆動しても、搬送ベルトの駆動に伴って硬貨が搬送面上で回転してしまうことがある。このため、搬送ベルトの搬送面上で硬貨が立ち状態になることは、硬貨の搬送不良の原因になる。
【０００６】
開示の技術は、上記に鑑みてなされたものであって、硬貨の搬送不良を防止することを目的とする。
【課題を解決するための手段】
【０００７】
開示の態様では、硬貨取扱装置は、硬貨収納ユニットと、第一搬送区間と、第二搬送区間と、第一搬送ベルトと、第二搬送ベルトとを有する。前記硬貨収納ユニットは、硬貨を収納する。前記第一搬送区間は、第一始点と第一終点とを有する。前記第一搬送区間では、前記硬貨収納ユニットから放出された前記硬貨が受け止められて前記第一始点から前記第一終点へ向かう第一方向へ前記硬貨が搬送される。前記第二搬送区間は、前記第一終点に繋がる第二始点と、前記第二始点より高い位置に存在する第二終点とを有する。前記第二搬送区間では、前記第二始点から前記第二終点へ向かう第二方向へ前記硬貨が搬送される。前記第一搬送ベルトは、前記第一搬送区間を形成して前記第一方向へ前記硬貨を搬送する。前記第二搬送ベルトは、前記第一搬送ベルトと対向して配置されることにより前記第二搬送区間を形成して前記第二方向へ前記硬貨を搬送する。また、前記第一搬送ベルトは、前記第一方向と交叉する方向を長手方向とする凸部を前記第一搬送ベルトの第一搬送面上に有する。そして、前記第一搬送ベルトの駆動に伴って前記硬貨が前記凸部の前面で押されることにより前記硬貨が前記第一方向及び前記第二方向へ搬送される。
【発明の効果】
【０００８】
開示の態様によれば、硬貨の搬送不良を防止することができる。
【図面の簡単な説明】
【０００９】
【図１】図１は、実施例１のトータリゼータ端末の概要の説明に供する図である。
【図２】図２は、実施例１のトータリゼータ端末の側面断面図である。
【図３】図３は、実施例１の硬貨取扱装置の内部構成を示す図である。
【図４】図４は、実施例１の凸部が定位置にあるときの拡大図（側面図）である。
【図５】図５は、実施例１の硬貨取扱装置の動作の説明に供する図である。
【図６】図６は、実施例１の硬貨取扱装置の動作の説明に供する図である。
【図７】図７は、実施例１の硬貨取扱装置の動作の説明に供する図である。
【図８】図８は、実施例１の硬貨取扱装置の動作の説明に供する図である。
【図９】図９は、実施例１の硬貨取扱装置の動作の説明に供する図である。
【図１０】図１０は、実施例１の硬貨取扱装置の動作の説明に供する図である。
【図１１】図１１は、実施例１の硬貨取扱装置の動作の説明に供する図である。
【図１２】図１２は、実施例１の硬貨取扱装置の動作の説明に供する図である。
【図１３】図１３は、実施例１の硬貨取扱装置の動作の説明に供する図である。
【図１４】図１４は、実施例１の硬貨取扱装置の動作の説明に供する図である。
【図１５】図１５は、実施例２のトータリゼータ端末の構成を示すブロック図である。
【図１６】図１６は、実施例２のトータリゼータ端末の投票券購入時の処理の説明に供するフローチャートである。
【図１７】図１７は、実施例２のトータリゼータ端末の的中券払戻時の処理の説明に供するフローチャートである。
【図１８】図１８は、実施例３のトータリゼータ端末のハードウェア構成を示す図である。
【発明を実施するための形態】
【００１０】
以下に、本願の開示する硬貨取扱装置及びトータリゼータ端末の実施例を図面に基づいて説明する。なお、この実施例により本願の開示する硬貨取扱装置及びトータリゼータ端末が限定されるものではない。また、実施例において同一の構成、及び、同一の処理を行うステップには同一の符号を付し、重複する説明を省略する。
【００１１】
また、以下の実施例では、硬貨取扱装置がトータリゼータ端末に搭載される場合を一例として説明する。しかし、本願の開示する硬貨取扱装置は、トータリゼータ端末の他にも、例えばＡＴＭ（Automated/Automatic  Teller  Machine）、券売機、自動販売機等、現金の入出金を行うすべての装置に搭載可能である。
【００１２】
［実施例１］
＜トータリゼータ端末の概要＞
図１は、実施例１のトータリゼータ端末の概要の説明に供する図である。図１において、トータリゼータ端末１は、運用状況表示窓３０１と、投票券投入口３０２と、投票券排出口３０３と、マークカード投入排出口３０４と、紙幣投入排出口３０５と、硬貨投入口３０６と、硬貨排出口３０７と、タッチパネル３０８とを有する。
【００１３】
運用状況表示窓３０１は、トータリゼータ端末１において投票券の発券受付中であるか発券停止中であるかを表示する。また、運用状況表示窓３０１は、トータリゼータ端末１において的中券の払戻受付中であるか払戻停止中であるかを表示する。
【００１４】
投票券投入口３０２には、当たりか外れかが確定している投票券が投入される。
【００１５】
投票券排出口３０３は、購入された投票券を排出する。
【００１６】
マークカード投入排出口３０４は、マークカードを投入される一方で、返却されるマークカードを排出する。
【００１７】
紙幣投入排出口３０５は、紙幣を投入される一方で、返却される紙幣または釣銭とされる紙幣を排出する。
【００１８】
硬貨投入口３０６は、硬貨を投入される。
【００１９】
硬貨排出口３０７は、返却される硬貨または釣銭とされる硬貨を排出する。
【００２０】
タッチパネル３０８は、操作案内、レース案内、及び、マークカードの投票内容等の各種の画面を表示し、各種の入力や投票内容の修正等の際にタッチ操作される。
【００２１】
なお、トータリゼータ端末１において、投票券投入口３０２と投票券排出口３０３とを一体構成としても良い。また、硬貨投入口３０６と硬貨排出口３０７とを一体構成としても良い。また、マークカード投入排出口３０４を、マークカード投入口とマークカード排出口とのように、別体構成としても良い。また、紙幣投入排出口３０５を、紙幣投入口と紙幣排出口とのように、別体構成としても良い。
【００２２】
＜トータリゼータ端末の構成＞
図２は、実施例１のトータリゼータ端末の側面断面図である。図２において、トータリゼータ端末１は、硬貨収納ユニット１１−１〜１１−４を有する。例えば、硬貨収納ユニット１１−１には５００円硬貨が収納され、硬貨収納ユニット１１−２には１０円硬貨が収納され、硬貨収納ユニット１１−３には１００円硬貨が収納され、硬貨収納ユニット１１−４には５０円硬貨が収納されている。以下では、硬貨収納ユニット１１−１〜１１−４を区別しない場合は「硬貨収納ユニット１１」と総称することがある。
【００２３】
硬貨の出金時には、出金額に応じた硬貨が硬貨収納ユニット１１から−Ｚ方向（下方向）へ放出される。硬貨収納ユニット１１から放出された硬貨は、硬貨収納ユニット１１の下方にＹ方向に渡って配置された搬送ベルトによって＋Ｙ方向（右方向）へ搬送された後、Ｚ方向に渡って配置された搬送ベルトによって＋Ｚ方向（上方向）へ搬送されて硬貨排出口３０７から排出される。
【００２４】
＜硬貨取扱装置の構成＞
図３は、実施例１の硬貨取扱装置の内部構成を示す図である。図３（Ａ）は側面図であり、図３（Ｂ）は上面図である。
【００２５】
図３に示す硬貨取扱装置２は、図１及び図２に示すトータリゼータ端末１に搭載される。図３において、硬貨取扱装置２は、硬貨収納ユニット１１−１〜１１−４と、第一搬送ベルト１２と、第二搬送ベルト１４と、ローラ１５−１〜１５−５と、ローラ１６−１〜１６−６と、ローラ１７−１〜１７−７と、発光側センサ２１−１と、受光側センサ２１−２と、第一ガイド板２２と、第二ガイド板２３とを有する。以下では、ローラ１５−１〜１５−５を区別しない場合は「ローラ１５」と総称し、ローラ１６−１〜１６−６を区別しない場合は「ローラ１６」と総称し、ローラ１７−１〜１７−７を区別しない場合は「ローラ１７」と総称することがある。また以下では、発光側センサ２１−１及び受光側センサ２１−２の一対のセンサを区別しない場合は「センサ２１」と総称することがある。
【００２６】
また、第一ガイド板２２と第二ガイド板２３とは、互いの表面がＸ方向で対向するようにして配置され、第一ガイド板２２の表面には突起１８−１〜１８−４が形成され、第二ガイド板２３の表面には突起１９−１〜１９−４が形成されている。以下では、突起１８−１〜１８−４を区別しない場合は「突起１８」と総称し、突起１９−１〜１９−４を区別しない場合は「突起１９」と総称することがある。
【００２７】
硬貨取扱装置２は、Ｙ方向における第一搬送区間Ｓ１と、Ｚ方向における第二搬送区間Ｓ２とを有する。第一搬送区間Ｓ１は、第一搬送区間Ｓ１の始点である第一始点Ａ１と、第一搬送区間Ｓ１の終点である第一終点Ａ２とを有する。第二搬送区間Ｓ２は、第二搬送区間Ｓ２の始点である第二始点Ｂ１と、第二搬送区間Ｓ２の終点である第二終点Ｂ２とを有する。第二始点Ｂ１は、第一終点Ａ２に繋がっている。また、Ｚ方向（鉛直方向）において、第二終点Ｂ２は、第二始点Ｂ１より高い位置に存在する。
【００２８】
第一搬送ベルト１２には、第一搬送ベルト１２の搬送面である第一搬送面Ｃ１上に凸部１３が形成されている。凸部１３は、第一搬送区間Ｓ１での硬貨の搬送方向（＋Ｙ方向）と交叉する方向（Ｘ方向）を長手方向とし、第一搬送区間Ｓ１での硬貨の搬送方向（＋Ｙ方向）と同一の方向（Ｙ方向）を短手方向とする。また、凸部１３の長手方向（Ｘ方向）の長さは、第一搬送ベルト１２の幅方向（Ｘ方向）の長さと一致する。第一搬送ベルト１２と凸部１３とは、同一材料の弾性体である。例えば、第一搬送ベルト１２及び凸部１３の材料は、共に、ゴム、ポリウレタン、ＰＶＣ（ポリ塩化ビニル）等である。また、凸部１３の高さは、例えば、硬貨収納ユニット１１に収納される硬貨のうち表面積が最大の硬貨の直径の４分の１以上４分の３未満にするのが好ましい。例えば、硬貨収納ユニット１１−１に５００円硬貨、硬貨収納ユニット１１−２に１０円硬貨、硬貨収納ユニット１１−３に１００円硬貨、及び、硬貨収納ユニット１１−４に５０円硬貨が収納される場合には、凸部１３の高さは、５００円硬貨の直径の４分の１以上４分の３未満にするのが好ましい。
【００２９】
第一搬送ベルト１２の停止中は、図３及び図４に示すように、凸部１３は定位置Ｐ１に静止して位置する。図４は、実施例１の凸部が定位置にあるときの拡大図（側面図）である。定位置Ｐ１は、例えば、第一始点Ａ１に一致する。凸部１３が定位置Ｐ１に位置しているときも含め、凸部１３が第一搬送区間Ｓ１にあるときは、凸部１３の前面Ｆ１が、硬貨の搬送方向である＋Ｙ方向を向いているとともに、前面Ｆ１が第二搬送ベルト１４に接するまでは、第一搬送面Ｃ１上に凸部１３が直立している。また、凸部１３が定位置Ｐ１に位置しているとき、発光側センサ２１−１から出力されたセンサ光ＢＭは凸部１３によって遮られて受光側センサ２１−２に届かない。よって、硬貨取扱装置２は、受光側センサ２１−２によってセンサ光ＢＭが受信されないときは、凸部１３が定位置Ｐ１に位置していると判断する。発光側センサ２１−１及び受光側センサ２１−２は、例えばフォトセンサである。
【００３０】
硬貨の出金時に、第一搬送区間Ｓ１では、硬貨収納ユニット１１から放出された硬貨が第一搬送ベルト１２の第一搬送面Ｃ１によって受け止められ、第一搬送ベルト１２の駆動に伴って第一始点Ａ１から第一終点Ａ２へ向かう方向（＋Ｙ方向）へ搬送される。つまり、第一搬送ベルト１２は、第一搬送区間Ｓ１を形成して＋Ｙ方向へ硬貨を搬送する。
【００３１】
また、第二搬送ベルト１４は、第二搬送ベルト１４の搬送面である第二搬送面Ｃ２を有し、第二搬送区間Ｓ２では、第一搬送面Ｃ１と第二搬送面Ｃ２とが互いに対向するように、第一搬送ベルト１２と第二搬送ベルト１４とが配置されている。
【００３２】
硬貨の出金時に、第二搬送区間Ｓ２では、第二始点Ｂ１から第二終点Ｂ２へ向かう方向（＋Ｚ方向）へ硬貨が搬送され、第二終点Ｂ２まで搬送された硬貨は、第二終点Ｂ２から硬貨排出口３０７（図２）へ向かって放出される。つまり、第二搬送ベルト１４は、第一搬送ベルト１２と対向して配置されることにより第二搬送区間Ｓ２を形成して＋Ｚ方向へ硬貨を搬送する。
【００３３】
硬貨の出金時には、ローラ１５−１，１５−２，１７−３，１５−３，１７−５，１７−６，１７−７が右回りに回転し、ローラ１５−４，１５−５が左回りに回転して、これらのローラに接する第一搬送ベルト１２が右回りに駆動することにより、第一搬送区間Ｓ１において硬貨が＋Ｙ方向へ搬送される。
【００３４】
また、硬貨の出金時には、第一搬送ベルト１２が上記のように右回りに駆動する一方で、ローラ１７−１，１７−２，１６−２，１７−４，１６−４，１６−５，１６−６が右回りに回転し、ローラ１６−１，１６−３が左回りに回転して、これらのローラに接する第二搬送ベルト１４が右回りに駆動することにより、第二搬送区間Ｓ２において第一搬送面Ｃ１と第二搬送面Ｃ２との間に挟まれた硬貨が＋Ｚ方向へ搬送される。
【００３５】
＜硬貨取扱装置の動作＞
図５〜図１４は、実施例１の硬貨取扱装置の動作の説明に供する図である。上記の図３及び図４に示す状態を時刻ｔ０の状態とすると、図５に示す状態は時刻ｔ１（ｔ１＞ｔ０）の状態、図６及び図７に示す状態は時刻ｔ２（ｔ２＞ｔ１）の状態、図８及び図９に示す状態は時刻ｔ３（ｔ３＞ｔ２）の状態、図１０及び図１１に示す状態は時刻ｔ４（ｔ４＞ｔ３）の状態、図１２及び図１３に示す状態は時刻ｔ５（ｔ５＞ｔ４）の状態、図１４に示す状態は時刻ｔ６（ｔ６＞ｔ５）の状態である。また、各図（Ａ）は側面図であり、各図（Ｂ）は上面図である。また、図７は時刻ｔ２で凸部１３がローラ１７−１付近にあるときの拡大図（側面図）、図９は時刻ｔ３で凸部１３が第一搬送ベルト１２と第二搬送ベルト１４との間に挟まれている状態にあるときの拡大図（側面図）、図１１は時刻ｔ４で凸部１３がローラ１７−７付近にあるときの拡大図（側面図）、図１３は時刻ｔ５で凸部１３が復帰過程にあるときの拡大図（側面図）である。
【００３６】
硬貨の出金時において、硬貨収納ユニット１１から硬貨が放出されると、第一搬送ベルト１２及び第二搬送ベルト１４が駆動を開始して、硬貨取扱装置２は、図３（時刻ｔ０）の状態から図５（時刻ｔ１）の状態に遷移する。すなわち、第一搬送ベルト１２の駆動に伴って、凸部１３が＋Ｙ方向へ移動する。このように、第一搬送ベルト１２及び第二搬送ベルト１４は、硬貨収納ユニット１１から硬貨が放出された時点で駆動を開始する。
【００３７】
第一搬送ベルト１２が駆動すると、硬貨収納ユニット１１から放出された硬貨のうち第一搬送面Ｃ１上で寝た状態にある硬貨は、第一搬送面Ｃ１のスライド量だけ＋Ｙ方向へ移動する。また、凸部１３が＋Ｙ方向へ移動するため、発光側センサ２１−１から出力されたセンサ光ＢＭを遮る物体は存在しなくなるので、発光側センサ２１−１から出力されたセンサ光ＢＭは受光側センサ２１−２によって受信される。つまり、凸部１３が定位置Ｐ１以外の位置にあるときは、発光側センサ２１−１から出力されたセンサ光ＢＭは受光側センサ２１−２によって受信される。
【００３８】
一方で、硬貨収納ユニット１１から放出された硬貨のうち第一搬送面Ｃ１上で立ち状態にある硬貨は、第一搬送ベルト１２が駆動しても第一搬送面Ｃ１上で回転してしまい、＋Ｙ方向への移動が困難になる。これに対し、第一搬送ベルト１２の駆動に伴って凸部１３が＋Ｙ方向へ移動し、凸部１３の前面Ｆ１が硬貨に接した後は、第一搬送ベルト１２の駆動に伴って前面Ｆ１で硬貨が＋Ｙ方向へ押される。このため、たとえ第一搬送区間Ｓ１に立ち状態の硬貨が存在する場合でも、第一搬送区間Ｓ１では、硬貨は凸部１３の前面Ｆ１で＋Ｙ方向へ押されて第一終点Ａ２まで搬送される。
【００３９】
また、第一搬送区間Ｓ１には、突起１８を有する第一ガイド板２２と、突起１９を有する第二ガイド板２３とが存在する。このため、立ち状態にある硬貨は、前面Ｆ１に接して第一終点Ａ２まで搬送される間に、硬貨の上部が突起１８または突起１９に引っ掛かることにより、立ち状態から寝た状態になる。よって、第一搬送区間Ｓ１を搬送されて第一終点Ａ２に到達したすべての硬貨は、寝た状態になっている。
【００４０】
次いで、時刻ｔ２では、硬貨取扱装置２は、図６及び図７の状態に遷移する。時刻ｔ２では、図６及び図７に示すように、第一搬送ベルト１２の駆動に伴って凸部１３の前面Ｆ１が第二搬送ベルト１４に接すると、前面Ｆ１がローラ１７−１及び第二搬送ベルト１４によって押さえ付けられることにより、凸部１３は第一搬送面Ｃ１の方に向かって傾斜する。このように、凸部１３は、第一搬送面Ｃ１の方に傾斜した状態で、第一搬送ベルト１２の駆動に伴って、第一搬送ベルト１２と第二搬送ベルト１４との間の隙間に引き込まれていく。また、第一搬送面Ｃ１上で寝た状態にある硬貨が、第一搬送ベルト１２と第二搬送ベルト１４との間の隙間に引き込まれていく。
【００４１】
次いで、時刻ｔ３では、硬貨取扱装置２は、図８及び図９の状態に遷移する。また、時刻ｔ２から時刻ｔ３に遷移すると、搬送区間は、第一搬送区間Ｓ１から第二搬送区間Ｓ２へ遷移する。第二搬送区間Ｓ２の時刻ｔ３では、図８及び図９に示すように、第一搬送ベルト１２と第二搬送ベルト１４との間に凸部１３が挟まれることにより、凸部１３が第一搬送ベルト１２の第一搬送面Ｃ１の方に向かって傾斜し、かつ、凸部１３の前面Ｆ１の頂点が第二搬送ベルト１４の第二搬送面Ｃ２に当接する状態をとる。この状態は、凸部１３が第二搬送区間Ｓ２にある間は維持される。よって、前面Ｆ１に接している硬貨は、第一搬送面Ｃ１と第二搬送面Ｃ２との間の隙間を下方（−Ｚ方向）へ落下することなく、第一搬送ベルト１２及び第二搬送ベルト１４の駆動に伴って、前面Ｆ１に接したまま上方（＋Ｚ方向）へ搬送される。
【００４２】
次いで、時刻ｔ４では、硬貨取扱装置２は、図１０及び図１１の状態に遷移する。第二搬送区間Ｓ２の時刻ｔ４でも、図１０及び図１１に示すように、第一搬送ベルト１２と第二搬送ベルト１４との間に凸部１３が挟まれることにより、凸部１３が第一搬送ベルト１２の第一搬送面Ｃ１の方に向かって傾斜し、かつ、凸部１３の前面Ｆ１の頂点が第二搬送ベルト１４の第二搬送面Ｃ２に当接する状態をとる。前面Ｆ１に接したまま搬送された硬貨は、時刻ｔ４において、第二終点Ｂ２に到達するため、硬貨排出口３０７（図２）へ向かって放出される。
【００４３】
次いで、時刻ｔ５では、硬貨取扱装置２は、図１２及び図１３の状態に遷移する。時刻ｔ５では、凸部１３を第一搬送面Ｃ１の方に向かって押さえ付ける物体は存在しなくなるため、凸部１３の状態は、第一搬送面Ｃ１に対して直立した状態に復帰している。時刻ｔ５では、このように第一搬送面Ｃ１上に直立した状態で、凸部１３は、第一搬送ベルト１２の駆動に伴って−Ｚ方向へ移動する。
【００４４】
次いで、時刻ｔ６では、硬貨取扱装置２は、図１４の状態に遷移する。凸部１３は、時刻ｔ５（図１２及び図１３）の状態から、第一搬送ベルト１２の駆動に伴って、さらに−Ｚ方向へ移動した後、ローラ１５−２によって移動方向を−Ｚ方向から−Ｙ方向へ変え、さらに−Ｙ方向へ移動する。そして、凸部１３の移動方向は、ローラ１５−１によって−Ｙ方向から＋Ｙ方向へ反転される。その結果、硬貨取扱装置２の状態は、再び図３及び図４に示す状態に遷移するため、凸部１３は定位置Ｐ１に復帰する。
【００４５】
凸部１３が定位置Ｐ１に復帰すると、発光側センサ２１−１から出力されたセンサ光ＢＭは、凸部１３によって遮られてしまうので、受光側センサ２１−２に届かなくなる。このため、硬貨取扱装置２は、受光側センサ２１−２によって受信されていたセンサ光ＢＭが受信されなくなった時点を、凸部１３が定位置Ｐ１に復帰した時点として判定する。また、硬貨取扱装置２は、凸部１３が定位置Ｐ１に復帰した時点で、第一搬送ベルト１２及び第二搬送ベルト１４の駆動を停止する。
【００４６】
このように、硬貨収納ユニット１１からの硬貨の放出前、つまり、第一搬送ベルト１２及び第二搬送ベルト１４の駆動前に凸部１３が定位置Ｐ１に静止しているときは、発光側センサ２１−１から出力されたセンサ光ＢＭは、凸部１３によって遮られて受光側センサ２１−２に届かないため、受光側センサ２１−２によって受信されない。次いで、硬貨収納ユニット１１から硬貨が放出されると、凸部１３が＋Ｙ方向へ移動するため、発光側センサ２１−１から出力されたセンサ光ＢＭを遮る物体は存在しなくなるので、発光側センサ２１−１から出力されたセンサ光ＢＭは受光側センサ２１−２によって受信される。そして、凸部１３が再び定位置Ｐ１に復帰すると、発光側センサ２１−１から出力されたセンサ光ＢＭは、再び凸部１３によって遮られてしまうので、受光側センサ２１−２によって受信されなくなる。つまり、発光側センサ２１−１及び受光側センサ２１−２は、凸部１３が定位置Ｐ１から離れた後に定位置Ｐ１に復帰したことを検出するものである。
【００４７】
以上のように、実施例１では、硬貨取扱装置２は、硬貨収納ユニット１１と、第一搬送区間Ｓ１と、第二搬送区間Ｓ２と有する。硬貨収納ユニット１１は、硬貨を収納する。第一搬送区間Ｓ１は第一始点Ａ１と第一終点Ａ２とを有する。第一搬送区間Ｓ１では、硬貨収納ユニット１１から放出された硬貨が第一搬送ベルト１２によって受け止められて第一始点Ａ１から第一終点Ａ２へ向かう第一方向（例えば、右方または左方）へ硬貨が搬送される。第二搬送区間Ｓ２は、第一終点Ａ２に繋がる第二始点Ｂ１と、第二始点Ｂ１より高い位置に存在する第二終点Ｂ２とを有する。第二搬送区間Ｓ２では、第二始点Ｂ１から第二終点Ｂ２へ向かう第二方向（例えば、上方）へ硬貨が搬送される。第一搬送ベルト１２は、第一搬送区間Ｓ１を形成して上記の第一方向へ硬貨を搬送する。第二搬送ベルト１４は、第一搬送ベルト１２と対向して配置されることにより第二搬送区間Ｓ２を形成して上記の第二方向へ硬貨を搬送する。また、第一搬送ベルト１２は、上記の第一方向と交叉する方向を長手方向とする凸部１３を第一搬送ベルト１２の第一搬送面Ｃ１上に有する。そして、第一搬送ベルト１２の駆動に伴って硬貨が凸部１３の前面Ｆ１で押されることにより硬貨が上記の第一方向及び上記の第二方向へ搬送される。
【００４８】
こうすることで、第一搬送面Ｃ１上に立ち状態の硬貨が存在した場合でも、立ち状態の硬貨は凸部１３の前面Ｆ１で押されて搬送されるため、硬貨の搬送不良を防止することができる。
【００４９】
また、実施例１において、第二搬送区間Ｓ２では、第一搬送ベルト１２と第二搬送ベルト１４との間に凸部１３が挟まれることにより、凸部１３が第一搬送面Ｃ１の方に向かって傾斜し、かつ、凸部１３の前面Ｆ１の頂点が第二搬送ベルト１４の第二搬送面Ｃ２に当接する状態をとる。
【００５０】
こうすることで、凸部１３の前面Ｆ１に接して上方へ搬送される硬貨を、第一搬送ベルト１２と第二搬送ベルト１４との間の隙間において下方へ落下させることなく上方へ搬送して第二終点Ｂ２から確実に放出することができる。また、第一搬送ベルト１２または第二搬送ベルト１４の劣化によって、第一搬送面Ｃ１または第二搬送面Ｃ２の摩擦力が低下したり、第二搬送区間Ｓ２における第一搬送面Ｃ１と第二搬送面Ｃ２との間での硬貨を挟み込む力が弱くなったりする場合がある。このような場合でも、第二搬送区間Ｓ２において凸部１３が上記のような状態をとることにより、第二搬送区間Ｓ２において硬貨を上方へ第二終点Ｂ２まで確実に搬送することができる。
【００５１】
また、実施例１において、第一搬送ベルト１２と凸部１３とは、同一材料の弾性体である。
【００５２】
こうすることで、第一搬送ベルト１２の製造に併せて第一搬送面Ｃ１上に凸部１３を形成することができるため、凸部１３を容易に形成することができる。
【００５３】
また、実施例１において、硬貨取扱装置２は、発光側センサ２１−１と、受光側センサ２１−２とを有する。発光側センサ２１−１及び受光側センサ２１−２（つまり、センサ２１）は、凸部１３が定位置Ｐ１から離れた後に再び定位置Ｐ１に復帰したことを検出する。
【００５４】
こうすることで、出金される硬貨が第二終点Ｂ２から確実に放出されたことを検出することができる。よって、第二終点Ｂ２からの硬貨の放出に同期させて特定の処理を実行することができる。なお、凸部１３が定位置Ｐ１に復帰したことを検出するセンサは、発光側センサ２１−１及び受光側センサ２１−２以外のセンサであっても良い。
【００５５】
［実施例２］
＜トータリゼータ端末の構成＞
図１５は、実施例２のトータリゼータ端末の構成を示すブロック図である。図１５において、トータリゼータ端末１は、タッチパネル３０８と、制御部３１と、センサ２１と、硬貨収納ユニット１１と、駆動モータ３３とを有する。ローラ１５、ローラ１６及びローラ１７のうち、ローラ１７−１、ローラ１７−７及びローラ１６−６が駆動モータ３３によって駆動されることにより、第一搬送ベルト１２及び第二搬送ベルト１４が駆動する。
【００５６】
＜トータリゼータ端末の処理＞
硬貨取扱装置２が実施例１のような構成を採ることにより、第一搬送区間Ｓ１及び第二搬送区間Ｓ２の全区間において、硬貨の搬送不良を防止することができる。換言すれば、硬貨取扱装置２が実施例１のような構成を採ることにより、出金されるべきすべての硬貨を第二終点Ｂ２まで確実に搬送して硬貨排出口３０７から排出することができる。よって、硬貨取扱装置２にセンサ２１を設けることにより、第一搬送区間Ｓ１及び第二搬送区間Ｓ２の全区間において滞留している硬貨が無いこと、つまり、硬貨取扱装置２から出金されるすべての硬貨の放出が完了したことを容易に検出することができる。そこで、実施例２のトータリゼータ端末１は、凸部１３が定位置Ｐ１から離れた後に再び定位置Ｐ１に復帰したことがセンサ２１によって検出されたときに以下の特定の処理を行う。以下、実施例２のトータリゼータ端末１の処理を、投票券購入時の処理と、的中券払戻時の処理とに分けて説明する。
【００５７】
＜投票券購入時の処理＞
図１６は、実施例２のトータリゼータ端末の投票券購入時の処理の説明に供するフローチャートである。
【００５８】
図１６において、ステップＳ１１では、制御部３１は、トータリゼータ端末１での取引の開始を示す所定の初期画面（以下では「取引開始画面」と呼ぶことがある）をタッチパネル３０８に表示させる。取引開始画面には、例えば、現金の投入を許可する旨の表示や、マークカードの投入を許可する旨の表示が為される。ステップＳ１１の時点は上記の時刻ｔ０（図３及び図４）の時点に相当し、時刻ｔ０では、第一搬送ベルト１２及び第二搬送ベルト１４の駆動が停止しているとともに、凸部１３が定位置Ｐ１に静止して位置している。このため、発光側センサ２１−１から出力されたセンサ光ＢＭは凸部１３によって遮られて受光側センサ２１−２に届かない。よって、時刻ｔ０では、受光側センサ２１−２は、発光側センサ２１−１から出力されたセンサ光ＢＭが受光側センサ２１−２に届いていない（受信されていない）ことを示す信号である「遮光信号」を制御部３１へ出力する。遮光信号は、凸部１３が定位置Ｐ１に位置している間、受光側センサ２１−２から出力され続ける。制御部３１は、受光側センサ２１−２から遮光信号を入力されるときは、凸部１３が定位置Ｐ１に位置していると判断する。つまり、制御部３１は、凸部１３が定位置Ｐ１に位置していると判断するときに、取引開始画面をタッチパネル３０８に表示させる。
【００５９】
次いで、ステップＳ１３では、制御部３１は、マークカード投入排出口３０４にマークカードが投入されたか否かを判断する。制御部３１は、マークカード投入排出口３０４にマークカードが投入されるまで、ステップＳ１３の判断を継続する（ステップＳ１３：Ｎｏ）。マークカード投入排出口３０４にマークカードが投入されると（ステップＳ１３：Ｙｅｓ）、処理はステップＳ１５へ進む。
【００６０】
ステップＳ１５では、制御部３１は、マークカードに記された投票内容をカードリーダ（図示省略）を用いて読み取る。
【００６１】
次いで、ステップＳ１７では、制御部３１は、紙幣投入排出口３０５及び硬貨投入口３０６に、紙幣または硬貨が投入されたか否か、つまり、トータリゼータ端末１に現金が投入されたか否かを判断する。
【００６２】
トータリゼータ端末１に現金が投入されないときは（ステップＳ１７：Ｎｏ）、処理はステップＳ１９へ進み、ステップＳ１９では、制御部３１は、投票券購入者に対して現金の投入を指示する。この投入指示は、例えば、現金の投入を指示する画面をタッチパネル３０８に表示させることにより行う。ステップＳ１９の処理後、処理はステップＳ１７に戻る。
【００６３】
トータリゼータ端末１に現金が投入されたときは（ステップＳ１７：Ｙｅｓ）、処理はステップＳ２１へ進み、ステップＳ２１では、制御部３１は、投入金額を計数する。
【００６４】
次いで、ステップＳ２３では、制御部３１は、ステップＳ２１で計数した投入金額がマークカードから読み取られた購入金額以上であるか否かを判断する。投入金額が購入金額未満であるときは（ステップＳ２３：Ｎｏ）、処理はステップＳ１９へ進み、ステップＳ１９の処理後、処理はステップＳ１７に戻る。
【００６５】
投入金額が購入金額以上であるときは（ステップＳ２３：Ｙｅｓ）、処理はステップＳ２５へ進み、ステップＳ２５では、制御部３１は、投入金額が購入金額より大きいか否かを判断する。投入金額が購入金額以上であるときに処理はステップＳ２３からステップＳ２５へ進むため、ステップＳ２５において投入金額が購入金額以下であると判断されるとき（つまり、ステップＳ２５での判断がＮｏになるとき）は、投入金額が購入金額に一致しているので、釣銭は生じない。逆に、ステップＳ２５において投入金額が購入金額ｙより大きいと判断されるとき（つまり、ステップＳ２５での判断がＹｅｓになるとき）は、釣銭が生じる。
【００６６】
そこで、投入金額が購入金額より大きいときは（ステップＳ２５：Ｙｅｓ）、処理はステップＳ２７へ進み、ステップＳ２７では、制御部３１は、投入金額から購入金額を減算することにより釣銭金額を算出し、算出した釣銭金額に応じた硬貨の出金の指示（以下では「釣銭硬貨出金指示」と呼ぶことがある）を硬貨収納ユニット１１に与える。釣銭硬貨出金指示に従って、硬貨収納ユニット１１は、第一搬送ベルト１２の第一搬送面Ｃ１上に、釣銭金額に応じた硬貨を放出する。また、制御部３１は、算出した釣銭金額に応じた紙幣の出金の指示（以下では「釣銭紙幣出金指示」と呼ぶことがある）を、トータリゼータ端末１が有する紙幣取扱装置（図示省略）に与える。釣銭紙幣出金指示に従って、紙幣取扱装置は、釣銭金額に応じた紙幣を紙幣投入排出口３０５から排出する。また、制御部３１は、購入された投票券の排出指示（以下では「投票券排出指示」と呼ぶことがある）を、トータリゼータ端末１が有する投票券取扱装置（図示省略）に与える。投票券排出指示に従って、投票券取扱装置は、購入された投票券を投票券排出口３０３から排出する。ステップＳ２７の処理後、処理はステップＳ２９へ進む。
【００６７】
一方で、投入金額が購入金額以下であるときは（ステップＳ２５：Ｎｏ）、ステップＳ２７〜Ｓ３５の処理は行われずに、処理はステップＳ３７へ進む。
【００６８】
ステップＳ２９では、制御部３１は、ステップＳ２７において算出された釣銭金額に基づいて、釣銭に硬貨が含まれているか否かを判断する。釣銭に硬貨が含まれているときは（ステップＳ２９：Ｙｅｓ）、処理はステップＳ３１へ進み、釣銭に硬貨が含まれていないときは（ステップＳ２９：Ｎｏ）、ステップＳ３１〜Ｓ３５の処理は行われずに、処理はステップＳ３７へ進む。
【００６９】
処理がステップＳ２９からステップＳ３１へ移行したときは、ステップＳ３１では、制御部３１は、駆動モータ３３を起動させて第一搬送ベルト１２及び第二搬送ベルト１４の駆動を開始する。これにより、第一搬送ベルト１２及び第二搬送ベルト１４による搬送が開始される。つまり、制御部３１が釣銭硬貨出金指示を硬貨収納ユニット１１に与えた時点で、第一搬送ベルト１２及び第二搬送ベルト１４による釣銭硬貨の搬送が開始される。
【００７０】
次いで、ステップＳ３３では、制御部３１は、硬貨取扱装置２から硬貨排出口３０７への釣銭硬貨の放出が完了したか否かを判断する。
【００７１】
ここで、凸部１３が定位置Ｐ１に位置していないときは、発光側センサ２１−１から出力されたセンサ光ＢＭが受光側センサ２１−２まで届くので、受光側センサ２１−２は、発光側センサ２１−１から出力されたセンサ光ＢＭが受光側センサ２１−２に届いている（受信されている）ことを示す信号である「透光信号」を制御部３１へ出力する。制御部３１は、受光側センサ２１−２から透光信号を入力されるときは、凸部１３が定位置Ｐ１に位置していないと判断する。また、凸部１３が定位置Ｐ１から移動して再び定位置Ｐ１に復帰する間に、凸部１３は、第二終点Ｂ２を通過する。よって、凸部１３が定位置Ｐ１からの移動を開始した時点から、凸部１３が定位置Ｐ１に復帰した時点までの間に、出金されるべきすべての釣銭硬貨が第二終点Ｂ２まで確実に搬送されて硬貨排出口３０７から排出されている。そこで、制御部３１は、受光側センサ２１−２から入力される信号が、遮光信号から透光信号に替わり、再び透光信号から遮光信号に替わったとき、つまり、凸部１３が定位置Ｐ１から離れた後に再び定位置Ｐ１に復帰したときに、硬貨取扱装置２から硬貨排出口３０７への釣銭硬貨の放出が完了したと判断する。一方で、制御部３１は、受光側センサ２１−２からの入力される信号が、遮光信号から透光信号に替わったまま透光信号で継続している間は、硬貨取扱装置２からの釣銭硬貨の放出が完了していないと判断する。
【００７２】
硬貨取扱装置２からの釣銭硬貨の放出が完了していないときは（ステップＳ３３：Ｎｏ）、処理はステップＳ３１に戻る。処理がステップＳ３３からステップＳ３１へ移行したときは、ステップＳ３１では、制御部３１は、駆動モータ３３の作動を継続させ、第一搬送ベルト１２及び第二搬送ベルト１４の駆動を継続させる。
【００７３】
一方で、硬貨取扱装置２からの釣銭硬貨の放出が完了したときは（ステップＳ３３：Ｙｅｓ）、処理はステップＳ３５へ進み、ステップＳ３５では、制御部３１は、駆動モータ３３を停止させて第一搬送ベルト１２及び第二搬送ベルト１４の駆動を停止する。これにより、第一搬送ベルト１２及び第二搬送ベルト１４による搬送が停止する。
【００７４】
ステップＳ２５での判断がＮｏになるときや、釣銭に硬貨が含まれていないときや（ステップＳ２９：Ｎｏ）、または、第一搬送ベルト１２及び第二搬送ベルト１４による搬送が停止された後（ステップＳ３５）は、処理はステップＳ３７へ進む。
【００７５】
ステップＳ３７では、制御部３１は、紙幣投入排出口３０５に排出された釣銭紙幣が紙幣投入排出口３０５に残留していないか否かを判断すると共に、投票券排出口３０３に排出された投票券が投票券排出口３０３に残留していないか否かを判断する。
【００７６】
釣銭紙幣が紙幣投入排出口３０５に残留しているとき、または、購入された投票券が投票券排出口３０３に残留しているときは（ステップＳ３７：Ｎｏ）、処理はステップＳ３９へ進み、ステップＳ３９では、制御部３１は、投票券購入者に対して釣銭紙幣または購入投票券の受取を指示する。この受取指示は、例えば、紙幣または投票券の受取を指示する画面をタッチパネル３０８に表示させることにより行う。ステップＳ３９の処理後、処理はステップＳ３７に戻る。
【００７７】
釣銭紙幣が紙幣投入排出口３０５に残留しておらず、かつ、投票券が投票券排出口３０３に残留していないときは（ステップＳ３７：Ｙｅｓ）、処理はステップＳ１１へ戻り、制御部３１は、取引開始画面をタッチパネル３０８に再び表示させる。タッチパネル３０８に取引開始画面が表示される処理は、第二終点Ｂ２からの硬貨の放出に同期して実行される特定の処理の一例である。
【００７８】
＜的中券払戻時の処理＞
図１７は、実施例２のトータリゼータ端末の的中券払戻時の処理の説明に供するフローチャートである。
【００７９】
図１７において、ステップＳ１１では、制御部３１は、投票券購入時と同様の取引開始画面をタッチパネル３０８に表示させる。
【００８０】
次いで、ステップＳ４１では、制御部３１は、投票券投入口３０２に投票券が投入されたか否かを判断する。制御部３１は、投票券投入口３０２に投票券が投入されるまで、ステップＳ４１の判断を継続する（ステップＳ４１：Ｎｏ）。投票券投入口３０２に投票券が投入されると（ステップＳ４１：Ｙｅｓ）、処理はステップＳ４３へ進む。
【００８１】
ステップＳ４３では、制御部３１は、投票券に記された投票内容をカードリーダ（図示省略）を用いて読み取る。
【００８２】
次いで、ステップＳ４５では、制御部３１は、投票券投入口３０２に投入された投票券の中に的中券があるか否かを判断する。
【００８３】
投票券投入口３０２に投入された投票券の中に的中券がないときは（ステップＳ４５：Ｎｏ）、処理はステップＳ４７へ進み、ステップＳ４７では、制御部３１は、投票券投入口３０２に投入された投票券のすべてを投票券排出口３０３から排出して返却する。ステップＳ４７の処理後、処理はステップＳ６１へ進む。
【００８４】
投票券投入口３０２に投入された投票券の中に的中券があるときは（ステップＳ４５：Ｙｅｓ）、処理はステップＳ４９へ進み、ステップＳ４９では、制御部３１は、払戻金額を算出する。
【００８５】
次いで、ステップＳ５１では、制御部３１は、ステップＳ４９で算出した払戻金額に応じた硬貨の出金の指示（以下では「払戻硬貨出金指示」と呼ぶことがある）を硬貨収納ユニット１１に与える。払戻硬貨出金指示に従って、硬貨収納ユニット１１は、第一搬送ベルト１２の第一搬送面Ｃ１上に、払戻金額に応じた硬貨を放出する。また、制御部３１は、算出した払戻金額に応じた紙幣の出金の指示（以下では「払戻紙幣出金指示」と呼ぶことがある）を、トータリゼータ端末１が有する紙幣取扱装置（図示省略）に与える。払戻紙幣出金指示に従って、紙幣取扱装置は、払戻金額に応じた紙幣を紙幣投入排出口３０５から排出する。
【００８６】
次いで、ステップＳ５３では、制御部３１は、ステップＳ５１において算出された払戻金額に基づいて、払戻金に硬貨が含まれているか否かを判断する。払戻金に硬貨が含まれているときは（ステップＳ５３：Ｙｅｓ）、処理はステップＳ５５へ進み、払戻金に硬貨が含まれていないときは（ステップＳ５３：Ｎｏ）、ステップＳ５５〜Ｓ５９の処理は行われずに、処理はステップＳ６１へ進む。
【００８７】
処理がステップＳ５３からステップＳ５５へ移行したときは、ステップＳ５５では、制御部３１は、駆動モータ３３を起動させて第一搬送ベルト１２及び第二搬送ベルト１４の駆動を開始する。これにより、第一搬送ベルト１２及び第二搬送ベルト１４による搬送が開始される。つまり、制御部３１が払戻硬貨出金指示を硬貨収納ユニット１１に与えた時点で、第一搬送ベルト１２及び第二搬送ベルト１４による払戻硬貨の搬送が開始される。
【００８８】
次いで、ステップＳ５７では、制御部３１は、投票券購入時のステップＳ３３と同様にして、硬貨取扱装置２から硬貨排出口３０７への払戻硬貨の放出が完了したか否かを判断する。
【００８９】
硬貨取扱装置２からの払戻硬貨の放出が完了していないときは（ステップＳ５７：Ｎｏ）、処理はステップＳ５５に戻る。処理がステップＳ５７からステップＳ５５へ移行したときは、ステップＳ５５では、制御部３１は、駆動モータ３３の作動を継続させ、第一搬送ベルト１２及び第二搬送ベルト１４の駆動を継続させる。
【００９０】
一方で、硬貨取扱装置２からの払戻硬貨の放出が完了したときは（ステップＳ５７：Ｙｅｓ）、処理はステップＳ５９へ進み、ステップＳ５９では、制御部３１は、駆動モータ３３を停止させて第一搬送ベルト１２及び第二搬送ベルト１４の駆動を停止する。これにより、第一搬送ベルト１２及び第二搬送ベルト１４による搬送が停止する。
【００９１】
投票券投入口３０２に投入された投票券が投票券排出口３０３から返却された後や（ステップＳ４７）、払戻金に硬貨が含まれていないときや（ステップＳ５３：Ｎｏ）、または、第一搬送ベルト１２及び第二搬送ベルト１４による搬送が停止された後（ステップＳ５９）は、処理はステップＳ６１へ進む。
【００９２】
ステップＳ６１では、制御部３１は、紙幣投入排出口３０５に排出された払戻紙幣が紙幣投入排出口３０５に残留していないか否かを判断すると共に、投票券排出口３０３に排出された投票券が投票券排出口３０３に残留していないか否かを判断する。
【００９３】
払戻紙幣が紙幣投入排出口３０５に残留しているとき、または、返却された投票券が投票券排出口３０３に残留しているときは（ステップＳ６１：Ｎｏ）、処理はステップＳ６３へ進み、ステップＳ６３では、制御部３１は、的中券払戻者に対して払戻紙幣または返却投票券の受取を指示する。この受取指示は、例えば、投票券購入時と同様に、紙幣または投票券の受取を指示する画面をタッチパネル３０８に表示させることにより行う。ステップＳ６３の処理後、処理はステップＳ６１に戻る。
【００９４】
払戻紙幣が紙幣投入排出口３０５に残留しておらず、かつ、返却投票券が投票券排出口３０３に残留していないときは（ステップＳ６１：Ｙｅｓ）、処理はステップＳ１１へ戻り、投票券購入時と同様に、制御部３１は、取引開始画面をタッチパネル３０８に再び表示させる。タッチパネル３０８に取引開始画面が表示される処理は、第二終点Ｂ２からの硬貨の放出に同期して実行される特定の処理の一例である。
【００９５】
以上のように、実施例２では、トータリゼータ端末１は制御部３１を有する。制御部３１は、投票券購入時及び投票券払戻時において、凸部１３が定位置Ｐ１に復帰したことがセンサ２１によって検出されたときに取引開始画面をタッチパネル３０８に表示させる。換言すれば、制御部３１は、投票券購入時及び投票券払戻時において、凸部１３が定位置Ｐ１に復帰したことがセンサ２１によって検出されるまでは、タッチパネル３０８に取引開始画面を表示させない。
【００９６】
こうすることで、釣銭硬貨や払戻硬貨の受領者に対してすべての釣銭硬貨や払戻硬貨を排出した後に、次の投票券購入者や的中券払戻者に対する取引を開始することができる。よって、釣銭硬貨や払戻硬貨を正しい受領者ではない次の投票券購入者や的中券払戻者が受領してしまうことを防止できる。
【００９７】
また、実施例２において、投票券購入時には、制御部３１は、購入投票券の投票券排出口３０３における排出タイミングと、釣銭硬貨の硬貨排出口３０７における排出タイミングとを一致させても良い。
【００９８】
こうすることで、投票券購入者に対して購入投票券と釣銭硬貨とが同時に排出されるため、投票券購入者による購入投票券の取り忘れや、釣銭硬貨の取り忘れを防止することができる。
【００９９】
なお、硬貨投入口３０６に誤投入防止用の蓋がついている場合には、制御部３１は、投票券購入時及び投票券払戻時において、凸部１３が定位置Ｐ１に復帰したことがセンサ２１によって検出されたときに、取引開始画面をタッチパネル３０８に表示させるタイミングと同一のタイミングで、硬貨投入口３０６の蓋を開けても良い。硬貨投入口３０６の蓋を開ける処理は、第二終点Ｂ２からの硬貨の放出に同期して実行される特定の処理の一例である。
【０１００】
［実施例３］
＜トータリゼータ端末のハードウェア構成＞
トータリゼータ端末１は、例えば、次のようなハードウェア構成により実現することができる。図１８は、実施例３のトータリゼータ端末のハードウェア構成を示す図である。図１８に示すように、トータリゼータ端末１は、ハードウェアの構成要素として、プロセッサ１ａと、メモリ１ｂと、搬送機構１ｃとを有する。プロセッサ１ａの一例として、ＣＰＵ（Central  Processing  Unit）、ＤＳＰ（Digital  Signal  Processor）、ＦＰＧＡ（Field  Programmable  Gate  Array）等が挙げられる。また、トータリゼータ端末１は、プロセッサ１ａと周辺回路とを含むＬＳＩ（Large  Scale  Integrated  circuit）を有しても良い。メモリ１ｂの一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１０１】
制御部３１は、例えばプロセッサ１ａによって実現される。搬送機構１ｃは、例えば、第一搬送ベルト１２、第二搬送ベルト１４、ローラ１５，１６，１７、第一ガイド板２２及び第二ガイド板２３を含む。
【０１０２】
また、トータリゼータ端末１での上記説明における各処理は、各処理に対応するプログラムをプロセッサ１ａに実行させることによって実現しても良い。例えば、上記説明における各処理に対応するプログラムがメモリ１ｂに記憶され、プログラムがプロセッサ１ａによってメモリ１ｂから読み出されて実行されても良い。
【符号の説明】
【０１０３】
１  トータリゼータ端末
２  硬貨取扱装置
１１  硬貨収納ユニット
１２  第一搬送ベルト
１３  凸部
１４  第二搬送ベルト
２１  センサ
２２  第一ガイド板
２３  第二ガイド板
３１  制御部
【図１】
2018055443.tif 000003
【図２】
2018055443.tif 000004
【図３】
2018055443.tif 000005
【図４】
2018055443.tif 000006
【図５】
2018055443.tif 000007
【図６】
2018055443.tif 000008
【図７】
2018055443.tif 000009
【図８】
2018055443.tif 000010
【図９】
2018055443.tif 000011
【図１０】
2018055443.tif 000012
【図１１】
2018055443.tif 000013
【図１２】
2018055443.tif 000014
【図１３】
2018055443.tif 000015
【図１４】
2018055443.tif 000016
【図１５】
2018055443.tif 000017
【図１６】
2018055443.tif 000018
【図１７】
2018055443.tif 000019
【図１８】
2018055443.tif 000020